(57)【特許請求の範囲】
【請求項１】
ケーブル接続部の周囲を被包する筒状ケース１，２の端面に一体に形成した側壁部の中央部にある嵌合溝部３１  にケーブルを嵌挿する端面板３を着脱自在に嵌着し、該端面板３に、硬度０〜１０〔針入度４０〜９０（１０−１ｍｍ）〕で伸び５００〜２０００％及び引張強度１０〜６０ｋｇ／ｃｍ２  の加硫ゴム組成物から構成され、突き合わせ分割接合面のあるケーブルスペーサ３０を介在配備したケーブル配線用クロージャであって、前記ケーブルスペーサ３０はケーブルを挿通するケーブル挿通路３１が複数形成され、前記ケーブルの挿通方向に沿って平行な突き合わせ分割接合面を持っていて、前記ケーブル挿通路３１に導入されるケーブル外周に圧接するケーブルスペーサ３０からなり、前記分割接合面に前記ケーブルスペーサ３０のケーブル挿通路３１に沿って間隔をあけてシールリブ３２を略波形状に複数対向して一体形成し、該分割接合面を突き合わせたときシールリブ３２が両側からケーブルに密接してケーブル外周に絡ませる構成とすると共に、該ケーブルスペーサ３０を、外周面にケース端面に嵌合する凹凸条部が形成され、内周面には前記ケーブルスペーサを嵌着保持する凹凸面が形成され、さらに前記ケーブルスペーサ３０より硬度の高い合成樹脂から構成されたシールベース３４に嵌着したことを特徴としたケーブル配線用クロージャにおける端面シール部材。
【請求項２】
前記シールリブ３２が、ケーブルスペーサ３０の分割接合面に突設されるものであって、両サイドと中央壁部とに間隔を置いてケーブル挿通路３１に沿って配備され、ケーブル外周に挟持される際に、ケーブルスペーサ３０の接合面に発生する隙間に嵌入される先端薄肉のリブである請求項１記載のケーブル配線用クロージャにおける端面シール部材。
【請求項３】
前記シールリブ３２が、その先端縁を傾斜面３２３  として対向する面では食い違いに突き合わされて接合し、ケーブルスペーサ３０の接合面に発生する隙間に嵌入される先端薄肉のリブである請求項１または２記載のケーブル配線用クロージャにおける端面シール部材。
【請求項４】
前記ケーブルスペーサ３０が、その両側面にケーブルＣを挿通するケーブル挿通路３１と、支持線Ｃ１  を挿通する支持線挿通路３８とを中心として、それぞれ円錐形状の凹面部３２２  を備えたことを特徴とする請求項２または３記載のケーブル配線用クロージャにおける端面シール部材。
【請求項５】
前記シールベース３４が、中央で縦方向に二分割される枠状部材であって、分割一端縁に嵌脱自在で且つ回動自在に連結係合するヒンジ部３５を対応して備え、かつ、分割他端縁には係止爪３６と、該係止爪３６を接続挿入する受け部３７とを対設した係止部を備えて、各シールベース３４にそれぞれ嵌着した前記ケーブルスペーサ３０の突き合わせ接合面を接離自在にして、ケーブル挿通路３１と支持線挿通路３８とを形成した請求項２，３または４記載のケーブル配線用クロージャにおける端面シール部材。
【請求項６】
前記分割シールベース３４のヒンジ部３５が、対向して間隔を置いて突設された一対の支軸４０と、各支軸４０を嵌入する一対のＵ溝４１とからなり、該Ｕ溝４１から支軸４５を挿入して９０度または１８０度回転して組み合わせる構成とした請求項５記載のケーブル配線用クロージャにおける端面シール部材。
【請求項７】
前記シールベース３４のヒンジ部３５が、対向して間隔を置いて突設された一対の支軸４２と、各支軸４２を嵌入する一対の嵌合孔４３とからなり、支軸４２と嵌合孔４３との摺動面に係止リブ４８と、該係止リブ４８を挿入する係止溝４９とを対向配備したことを特徴とする請求項５記載のケーブル配線用クロージャにおける端面シール部材。
【請求項８】
前記シールベース３４のヒンジ部３５が、外周に突設された一つの大径頭部のある支軸４２と、該支軸４２の大径頭部を嵌入する大径部と小径部とから成る一つの嵌合孔４３のある連結片４４とを備え、前記支軸４２に嵌合孔４３の大径部を嵌め込んで小径部に移動して組み合わせる構成とした請求項５記載のケーブル配線用クロージャにおける端面シール部材。
【請求項９】
前記シールベース３４の係止部が、先端に鉤状係止爪３６のある弾性片と、該鉤状係止爪３６を嵌め合う係止受け部３７とから構成され、分割シールベース３４のヒンジ部３５のある反対側自由端部にそれぞれ対設され、ケーブルスペーサ３０の接合面を圧接挟持するものである請求項６，７または８記載のケーブル配線用クロージャにおける端面シール部材。
【発明の詳細な説明】
【０００１】
【発明の属する技術分野】
本発明は、光ケーブルやメタルケーブルの通信ケーブルの接続分岐配線するための接続部を保護収容するケーブル配線用クロージャにおける端面シール部材に関するものである。
【０００２】
【従来の技術】
一般に、ケーブル接続装置は、ケーブルの接続部を被包して保護する収容凾体が用いられるが、この収容凾体は縦割りの筒状ケースと、該ケースの両端面を閉塞しケーブルを挿通する端面部とからなり、ケースの分割面を突き合わせて取付固定手段で連結して密着一体化し、コネクタを含むケーブル接続部を気密または水密状態に維持する構造のものが知られている。
【０００３】
そして、支持線若しくは架空配線や基線のケーブルの出入孔に使用される端面部に於ては、従来はあらかじめ準備された嵌挿孔（適用ケーブルの最大径）に細径ケーブルを取り付ける場合、端面部嵌挿孔とケーブル間の隙間をスペーサ乃至ブッシュ、又は一定厚さのゴムテープを巻回すると共に、気密性、水密性を確保するためにシーリングテープを合せて使用しているタイプがあり、その他にテーパ状の筒を持つ端面部を用い、ケーブル径に対応し現地にてテーパ部の所定位置を切断して使用されるタイプがあるが、いずれのタイプもケーブルとの接合部はシール性を考慮してシーリングテープやＰＶＣテープによって固定する方法がとられていた。
【０００４】
【発明が解決しようとする課題】
ところが、大径から小径に至まで真径の異なる各種ケーブルの出入孔を水密性確保にシールするための従来方法であると、ケーブルと嵌挿孔との間を埋めてシールするためにケーブル外周に嵌挿孔に合致するように、ゴムテープ、シーリングテープを巻回するなどしているが、その作業が煩雑であり、ケーブルの増設、保守時には特にシーリングテープの除去交換等がやっかいであり、光ケーブルでは光ファイバーに添設された支持線を連結片、即ち首部で一体に被覆した外皮があるため、連結片を切り裂いて分離すると、連結片が光ケーブル及び支持線の外皮に突条として残り端面板の嵌挿孔に装入する際に、該突条部がシール性に支障を来たすことが多く、シーリングテープを巻きつけても隙間を埋めることが困難であり、突条部をきれいに切除する作業が伴って作業性が悪いし、しかもケーブル径のバラツキが大きいためにテーパ状端面部や、ゴムテープ等の交換が必要となってそのための作業時間や補修費のロスも生じ問題であり、多数の鋼心をよじって結束したメタルケーブルでは外周が凸凹となるためテーピィングしても隙間ができてシール性が維持できなく、またスペーサやブッシュを用いる場合、ケーブル外径に合わせたケーブル挿通孔を持ったスペーサブッシュを多数持ち合わせていて選んで用いなくてはならず、異径のケーブルに対応したスペーサブッシュを各種保管しなければならないのできわめて取扱いが煩しい欠点があった。
本発明は、これら従来の欠点を排除しようとするもので、異径の各種ケーブルをケーブル接続用収容凾体の出入にシーリングテープなしで安全に適用でき、組立、解体作業時間も大幅に短縮化し、しかもケーブルの増設、保守時にも部品等の交換もなく低コストで対応できるケーブル配線用クロージャにおける端面シール部材を構成簡単で安価な形態で提供することを目的とするものである。
【０００５】
【課題を解決するための手段】
本発明は、ケーブル接続部の周囲を被包する筒状ケースの端面に一体に形成した側壁部の中央部にある嵌合溝部にケーブルを嵌挿する端面板を着脱自在に嵌着し、該端面板に、硬度０〜１０〔針入度４０〜９０（１０−１ｍｍ）〕で伸び５００〜２０００％及び引張強度１０〜６０ｋｇ／ｃｍ２  の加硫ゴム組成物から構成され、突き合わせ分割接合面のあるケーブルスペーサを介在配備したケーブル配線用クロージャであって、前記ケーブルスペーサはケーブルを挿通するケーブル挿通路が複数形成され、前記ケーブルの挿通方向に沿って平行な突き合わせ分割接合面を持っていて、前記ケーブル挿通路に導入されるケーブル外周に圧接するケーブルスペーサからなり、前記分割接合面に前記ケーブルスペーサのケーブル挿通路に沿って間隔をあけてシールリブを複数対向して一体形成し、該分割接合面を突き合わせたときシールリブが両側からケーブルに密接してケーブル外周に絡ませる構成とすると共に、該ケーブルスペーサを、外周面にケース端面に嵌合する凹凸条部が形成され、内周面には前記ケーブルスペーサを嵌着保持する凹凸面が形成され、さらに前記ケーブルスペーサより硬度の高い合成樹脂から構成されたシールベースに嵌着したものである。
【０００６】
本発明では、前記ケーブルスペーサが、前記シールベースの内周面に沿った外周面を有し、前記ケーブルの挿通方向に沿って平行な突き合わせ接合面を持っていて、該接合面にケーブルを挿通する切れ目のある或いは連続したシールリブを略波形状に対向形成してケーブルの軸方向に間隔をあけて複数突設されていていることが重要であり、端面板が突き合わせ分割面のある分割ケーブルスペーサと、該分割ケーブルスペーサを嵌着保持する開閉式端面シールベースとからなり、ケーブルを挿通するケーブル挿通路が軸方向に沿って複数形成されていることをも特徴としていて、また、前記分割シールベースが、中央で縦方向に二分割される枠状部材であって、分割一端縁に嵌脱自在で且つ回動自在に連結係合するヒンジ部を対応して備え、かつ、分割他端縁には係止爪と、該係止爪を接続挿入する受け部とを対設した係止部を備えて、各シールベースにそれぞれ嵌着した前記ケーブルスペーサの突き合わせ接合面を接離自在にして、ケーブル挿通路と支持線挿通路とを形成した端面シールとすることも特徴としている。
【０００７】
【発明の実施の形態】
本発明の実施形態では、ケーブル外皮の必要な個所の連結片を切断して支持線とケーブル部分とを切り離し、ケース内のケーブルを接続してケーブルの分岐接続処理したのち、加硫されたゴム組成物から構成されたケーブルスペーサのあるシールベースをヒンジ部を中心として開放し、ケーブルスペーサの接合面を開いてケーブルをシールリブ間のケーブル挿通路に沿って挿入したのち、シールベースの係止片を係止受け部に係合してシールベースを閉じると、ケーブルスペーサ間にケーブルが挟持されて、各シールリブがケーブルの外周に纏わりつきシール性を確実に確保することができる。
そして、前記分割ケーブルスペーサをケースの側壁部の中央部にある嵌合溝部に嵌装し、二分割ケースを端面板に被せて嵌着し、ケースに備えられたロック機構を締結して密封性も大幅に高めて安全に用いられるものであり、該端面板を通過するケーブルは、ケーブルスペーサのそれぞれの突き合わせ接合面を圧接した状態にシールしたことで、ケーブル配線用クロージャを確実に使用することができる。
【０００８】
なお、前記分割ケーブルスペーサに備えられたシールリブに隣接する凹溝に連通する隙間の水抜き機構で、ケーブルスペーサに溜まった水が、系外に抜き出すことができる。さらに、前記分割シールベースが、中央で縦方向に二分割される枠状部材であって、分割一端縁に嵌脱自在で且つ回動自在に連結係合するヒンジ部を対応して備えてあるので、シールベースを二つに分けて取り扱えると共に、ケーブルの挿入挟持作業を著しく簡易に行うことができるし、分割ケーブルスペーサの挟持も確実で、シール性をも大幅に向上できケーブルスペーサを介してケーブル装入組立後の水密性を確保できる。
【０００９】
従って、ケーブルスペーサの分割接合面にケーブル或いは支持線をそのまま沿わせて圧着することとなるので、ケーブルスペーサが弾性変形して備えられたシールリブがケーブルの外周に隙間なく密着させられ、ケース内ではケーブルの分岐接続処理したのちに、テンションメンバ把持金具に支持線を添わせて取付ボルトで締め付ける。
また、端面板の支持線挿通路に嵌入される支持線もケーブルとともにケーブルスペーサに挟持して用い、シーリングテープなしでケーブルの気密性並びに水密性確保を容易にし、各異径のケーブルの出入対応も簡単にでき、シーリングテープは不要であるため大幅な組立、解体作業時間が短縮化が図れ、増設、保守時に於ても部品等の交換不要でコストの大幅な低減も図れることになる。
【００１０】
【実施例】
本発明を図１乃至図６の例で説明すると、光ケーブル接続部の周囲を被包する筒状ケース１，２が、その端面に一体に形成した側壁部の中央部にある嵌合溝部３1 にケーブルＣおよび支持線Ｃ１  を嵌挿する端面板３を着脱自在に嵌着し、該端面板３にケーブルＣを挿通するケーブル挿通路３１および支持線挿通路３８が形成され、ケーブル外周に圧接する分割ケーブルスペーサ３０を介在配備したケーブル配線用クロージャにおいて、前記ケーブルスペーサ３０が硬度０〜１０〔針入度４０〜９０（１０-1ｍｍ）〕で伸び５００〜２０００好ましくは１０００〜２０００％及び引張強度１０〜６０ｋｇ／ｃｍ２  の加硫されたゴム組成物から構成され、前記ケーブルスペーサ３０のケーブル挿通路３１および支持線挿通路３８に沿って間隔をあけてシールリブ３２を複数対向して一体形成し、各シールリブ３２の少なくとも一側に凹溝３３を設けると共に、外周から前記凹溝３３に連通する隙間を備えて系外への水抜き機構とし、該分割ケーブルスペーサ３０を二分割しうるヒンジ部３５のある補強部材となる開閉式端面シールベース３４にそれぞれ嵌着して、突き合わせ接合面を接離自在に対設してある。
【００１１】
前記ケーブルスペーサ３０としては、前記シールベース３４の内周面に沿った外周面を有し、前記ケーブルＣおよび支持線Ｃ１  の挿通方向に沿って平行な突き合わせ接合面を持っていて、該接合面にケーブルＣを挿通する切れ目３２１  のあるシールリブ３２を略波形状に対向形成してケーブルＣの軸方向に間隔をあけて複数突設されていている（図４ａ）。
そして、前記凹溝３３，３３間の中央部に支壁を突設けるとともに、該支壁同士の突き合わせ接合面にもシールリブ３２を突設し、ケーブルスペーサ３０の厚み方向の内部でもシール面を複数段成形して、ケーブルを挟持した時にシール性を強化してある。
【００１２】
また、前記端面板３は、図２乃至図４のように突き合わせ分割面のある分割ケーブルスペーサ３０と、該分割ケーブルスペーサ３０を嵌着保持する開閉式端面シールベース３４とからなり、ケーブルＣを挿通するケーブル挿通路３１が軸方向に沿って複数形成されている。さらに、前記分割シールベース３４が中央で縦方向に二分割される枠状部材であって、分割一端縁に嵌脱自在で、且つ回動自在に連結係合するヒンジ部３５を対応して備え、かつ、分割他端縁には係止爪３６と、該係止爪３６を接続挿入する受け部３７とを対設した係止部を備えて、各シールベース３４にそれぞれ嵌着した前記ケーブルスペーサ３０の突き合わせ接合面を接離自在に連結して、ケーブル挿通路３１と支持線挿通路３８とを形成した端面シールとするのがよい。
【００１３】
なお、前記筒状ケース１，２の端面に一体に形成した側壁部の中央部にある嵌合溝部３1 にシールベース３４を介してケーブルＣを嵌挿する端面板３を着脱自在に嵌着し、該シールベース３４に嵌着されるケーブルスペーサ３０は、加硫ゴム組成物から構成され、ケーブル挿通方向に沿って間隔をあけて凹溝３３を複数形成し、各凹溝３３の間にある仕切り壁の表面にシールリブ３２を一体に突設形成すると共に、前記分割シールベース３４は、その外周面にケース端面に嵌合する凹凸条部を形成すると共に、内周面には前記ケーブルスペーサ３０を接着剤などの固定手段により嵌着保持する凹凸面に形成し、前記ケーブルスペーサ３０より硬度の高い、例えば硬度〔Ｒ５０〜Ｒ１００好ましくはＲ６０〜Ｒ９０（ＪＩＳ−Ｋ−７２０２）〕の合成樹脂から構成されたものであって、前記ケーブル挿通路３１および支持線挿通路３８に沿って凹溝３３を間隔をあけて複数設けてある。
【００１４】
前記シールベース３４のヒンジ部３５としては、図５に示すように、対向して間隔を置いて突設された一対の支軸４０と、各支軸４０を嵌入する一対のＵ溝４１とからなり、該Ｕ溝４１から支軸４０を挿入して９０度または１８０度回転して組み合わせる構成とするか、或いは、図１２の如く各支軸４２を嵌入する一対の嵌合孔４３とからなり、支軸外周に突設された一つの係止リブ４８を挿入する係止溝４９を嵌合孔４３に設けた回動ロック機構とするか、更には、図１１のように、頭部のある支軸４２と、該支軸４２の大径頭部を嵌入する大径部と小径部とから成る一つの嵌合孔４３のある連結片４４とを備え、前記支軸４２に嵌合孔４３の大径部を嵌め込んで小径部に移動して組み合わせる連結構成とすることもできる。
【００１５】
前記シールリブ３２は、ケーブルスペーサ３０の接合面に突設されるものであって、両サイドと中央の仕切り壁部に間隔を置いてケーブル挿通路に沿って配備され、ケーブル外周に挟持される際に、ケーブルスペーサ３０の接合面に発生するケーブルＣとの間の隙間に嵌入される先端薄肉のリブに成形してシール性を確実にしてある。また、前記シールベース３４の係止部としては、先端に鉤状係止爪３６のある弾性片と、該弾性片の鉤状係止爪３６を嵌め合う係止受け部３７とから構成され、分割シールベースのヒンジ部３５のある反対側自由端部にそれぞれ対設され、ケーブルスペーサ３０の接合面を圧接挟持するようにしてある。
【００１６】
前記筒状ケース１，２は、円筒体または角筒体であって、その側壁部に前記端面板３の嵌合溝３1 を形成した分割ケースで、接合端面を突き合わせ連結するようになっていて、前記端面板３の外周縁を高密度に当接一体化できるようにしてある。  また、前記端面板３に形成される光ケーブル挿通路３１と、架空配線若しくは基線ケーブル挿通路３１と、支持線挿通路３８とはケーブルスペーサ３０の分割接合面に形成し、ケーブル等配線の挿入を簡易に行ない、挿入後は接合面が互いに密接してシール性を適確に保つようにしてある。
【００１７】
なお、前記ケーブルスペーサ３０に形成されたシールリブ３２は、図４の如くケーブル挿通路３１及び支持線挿通路３８にそれぞれ配備されるものであって、必要に応じケーブルＣの軸方向に間隔をおいて複数突設してガスケット機能をはたすものを用いる。このシールリブ３２は、前記ケーブルスペーサ３０の分割接合面に断続或いは連続して突設し、互いに対向する面において先端面を傾斜面としてケーブルスペーサ３０を突き合わせた際に、傾斜面同士が突き合わせ重合されて前記ケーブル挿通路３１と、支持線挿通路３８とのシール性を高めるようにすることも有効である。
【００１８】
この場合、前記ケーブルスペーサ３０は、伸びが大きく引張応力（モジュラス）も大きい低硬度ゴム（ショアー硬度０〜３０）を用い、即ち、針入度４０〜９０、好ましくは５０〜７０（１０−１ｍｍ・ＪＩＳ  Ｋ２５６０）で、伸び５００〜２０００％好ましくは１０００〜２０００％さらに好ましくは１５００〜１９００％（ＪＩＳ  Ｋ６３０１）及び引張応力１００％−０．５ｋｇｆ／ｃｍ２  ，３００％ １．０ｋｇｆ／ｃｍ２，４００％１．４ｋｇｆ／ｃｍ２  （ＪＩＳ Ｋ６３０１）の加硫ゴム組成物、例えばＥＰＲ、ＥＰＤＭ、シリコーンゴム（Ｑ）、ブチルゴム（ＩＩＲ）、スチレン・ブタジェンゴム（ＳＢＳ）或いはフッソゴム（ＦＫＭ）など低硬度（Ｈｓ）のもの、さらに詳しくは、比重１．０〜１．０５、引張強度１０〜６０ｋｇ／ｃｍ２  例えば３１ｋｇ／ｃｍ２  で、圧縮永久歪（７０℃×２２Ｈ）は、５０〜８０％例えば、６３．０％のものを用い、支持線、若しくはケーブル外被に連結片の突条部が残っていても、或いはよじりメタルケーブルの外周が凸凹していてもスペーサが弾性変形して隙間なく密着されて防滴性を確保できるものである。この低硬度ゴムの場合では、ポリマー１００重量部に対して石油系軟化材（プロセスオイル）を１００〜３００重量部およびポリブテン５０重量部以上を含むＥＰＲ若しくはＥＰＤＭの加硫ゴム組成物を用いるのがよい。
【００１９】
さらに、該ケーブルスペーサ３０に形成される前記シールリブ３２は、軸方向に平行な連続して直線状、或いは軸方向に対して湾曲状、例えば凸凹状、Ｚ状、Ｓ状或いはΩ状となっているもので、密接するもの、或いは若干隙間があっても軸方向に対する面で密接面が存在する形態であれば導線挿通後の防滴性を高め、ケースの内外を確実に遮断できるシール性を高めることを配慮したものとして有効に用いられる。
【００２０】
前記端面板３の接合面には、大部分の面積にケーブルスペーサ３０が占め、例えばケーブルスペーサ３０の表面がシールベース３４より突出していて、ヒンジ部３５および係止部の突き合わせ部分にはケーブルスペーサ３０の一部が延設された薄肉の板状片３０１  が端面シールゴムとしてあって、シール性を高めてあり、必要に応じ前記板状片３０１  に、その両サイドに切り込みを入れてケーブルスペーサ３０に形成された凹溝３３に入ってた水が外に流れやすいようにするのがよい。そしてケーブルスペーサ３０に挟まれて幹線光ケーブルＣが貫通されてケース内のケーブル把持金具４で固定されていて、該ケーブルＣのテンションメンバは支持クランプのテンションメンバ把持金具５に接続連結され、支持線Ｃ１  は支持線把持金具に固着されている。またこれら金具は、連結金具で一体に取り付けられ筒状ケース１，２に収納固定できるようにしてある。
【００２１】
前記筒状ケース１，２は円筒状のハウジングで、軸方向に沿って片側が分離接合面で二つに分割できるようにしたもので、合成樹脂、例えばＰＰ樹脂或いは難燃性のＦＲＰＰなどから構成され、軸方向に縦割りに二分割する突き合わせ接合面と、該ケース１，２の両端に、前記ケーブル接続部の両側のケーブルを貫通する端面板３とを備え、該端面板３を側壁部に締め付けロック係止具６で連結できるようにしてあり、前記ケース１内には接続部と心線余長収納部のある心線トレイト７が備えられる。（図１および図６）
【００２２】
前記支持線挿通路３８と基線ケーブル挿通路３１とは、スリット３９で連通していて、支持線とケーブルの接続部が被覆体で連続しているケーブルタイプや連結片で間隔をおいて接続しているケーブルタイプとのいずれのケーブルについても使用できるようにしようにしてある。また、ケーブル径や支持線径は種々あるので、各ケーブルに対応するようになっている。
【００２３】
図２及び図３の具体例では、前記シールベース３４の一端にあるヒンジ部３５が、１８０度回転させて組み合わせるタイプで、切り開いたＵ溝４１から支軸４０を水平方向に挿入して１８０度回転すると、係止爪３６が係止受け部３７に嵌着され、前記ケーブルスペーサ３０が突き合わせ接合されることとなり、隙間巾は極力小さくすることでシール機能を十分はたすことが配慮されていて、ケーブル直径に見合ったケーブルスペーサに変形されてケーブルＣに密着して使用できるようにしてある。また、ケーブルＣを挿入する際には係合部を外してスシールベース３４を開きケーブルスペーサ３０を拡開して挿入しやすくしてある。
【００２４】
図７乃至図９の実施例では、前記シールベース３４の一端にあるヒンジ部３５が、断面半円筒状の支軸４５を両サイドに突設した連結桿４６と、該連結桿４６を挿入する切れ目４６１  および支軸４５の円弧状凹面のある受け孔４７とを対応して設けた構成から成るもので、垂直方向から連結桿４６を受け孔４７に組み込んで９０度回転すると、係止爪３６が係止受け部３７に嵌着され、前記ケーブルスペーサ３０が突き合わせ接合されることとなり、接合面は密着されることでシール機能を十分はたすことが配慮されていて、挿入されるケーブル直径に見合ったスペーサに変形されてケーブルに密着し密封性を高めた形態として使用できるようにしてある。
【００２５】
図１０および図１１の実施例では、前記シールベース３４の一端にあるヒンジ部３５が、支軸４２を嵌合穴４３に嵌め込むタイプで、該嵌合孔４３のある連結片４４を備えて引っかけ、前記支軸４２に嵌合孔４３の大径部を嵌め込んで小径部に移動して組み合わせる連結構成として密封性を高めた形態としたものでたものである。
【００２６】
図１２の実施例では、前記シールベース３４の一端にある連結リブ３４１  の内面に支軸４２を対向して突設し、該支軸４２を嵌入する一対の嵌合孔４３に押し込んで回動自在としたヒンジ部３５により開閉式端面シールベース３４としたもので、挿入されるケーブル直径に見合ったスペーサに変形されてケーブルに密着し密封性を高めた形態として使用できるようにしてある。
この場合、係止リブ４８のある支軸４２と係止溝４９のある嵌合孔４３との圧入嵌装する構造として、前記係止リブ４８を係止溝４９に挿入係合した時に嵌合孔４３内での支軸４２の回動防止作用を与えて、ヒンジ部３５の脱落防止構造として、前記シールベース３４の閉状態維持を確実にすることもできる。また、該支軸４２と嵌合孔４３との摺動面に形成される前記係止リブ４８と係止溝４９との関係では、支軸４２に係止溝４９を設けた場合には、嵌合孔４３に係止リブ４８を設けて前記係止リブ４８を係止溝４９に挿入係合した時に嵌合孔４３内での支軸４２の回動防止作用を与えるヒンジ部３５の脱落防止構造とすることもできる。
【００２７】
図１３および図１４の実施例では、前記ケーブルスペーサ３０の分割接合面に直線的に連続して突設したシールリブ３２は、対設されたシールリブ３２の先端縁を食い違いの傾斜面３２３  に形成し、突き合わされて接続された際に傾斜面３２３  同士が重合してシール性を高められるようにした構成としてあって、さらに前記ケーブルスペーサ３０の両側面にケーブル挿通路３１と支持線挿通路３８とを中心として、それぞれ円錐形状の凹面部３２２  を形成することで、前記ケーブルスペーサ３０を突き合わせた際に、前記ケーブルスペーサ３０の両側面にケーブル挿通路３１と支持線挿通路３８の周囲に盛り上がった壁面部が発生することなく、ケーブルＣや支持線Ｃ１  を挟み込んだときに体裁良好な形態にシールすることができるし、ケーブルＣの周囲に隙間がなくシール性を高めるのに役立ててある。
【００２８】
【発明の効果】
本発明は、ケーブル接続部の周囲を被包する筒状ケースの端面に一体に形成した側壁部の中央部にある嵌合溝部にケーブルを嵌挿する端面板を着脱自在に嵌着し、該端面板に、硬度０〜１０〔針入度４０〜９０（１０−１ｍｍ）〕で伸び５００〜２０００％及び引張強度１０〜６０ｋｇ／ｃｍ２  の加硫ゴム組成物から構成され、突き合わせ分割接合面のあるケーブルスペーサを介在配備したケーブル配線用クロージャであって、前記ケーブルスペーサはケーブルを挿通するケーブル挿通路が複数形成され、前記ケーブルの挿通方向に沿って平行な突き合わせ分割接合面を持っていて、前記ケーブル挿通路に導入されるケーブル外周に圧接するケーブルスペーサからなり、前記分割接合面に前記ケーブルスペーサのケーブル挿通路に沿って間隔をあけてシールリブを複数対向して一体形成し、該分割接合面を突き合わせたときシールリブが両側からケーブルに密接してケーブル外周に絡ませる構成とすると共に、該ケーブルスペーサを、外周面にケース端面に嵌合する凹凸条部が形成され、内周面には前記ケーブルスペーサを嵌着保持する凹凸面が形成され、さらに前記ケーブルスペーサより硬度の高い合成樹脂から構成されたシールベースに嵌着したことにより、ケーブル挿通に際しシールベースを開放してケーブルを挟み込めば、分割ケーブルスペーサが各異径ケーブル外周に密着することとなり、異径種の支持線、若しくはケーブル外被に連結片の突条部が残っていても、或いはよじりメタルケーブルのように外周が凸凹していても変形するケーブルスペーサで対応でき、しかも弾性変形して隙間なく端面板に密着されて気密性・水密性を高めた状態でケーブルを保持しつつ防滴性を確保でき、密封性を高めた形態で使用できるものであって、ケーブルの導出に水密性を確実にし、異径の各種ケーブルの導出入に対応させてケーブルの収容凾体に良好なシーリングで安全に適用でき、組立、解体作業時間も大幅に短縮化して作業性を大幅に向上することができ、しかもケーブルの増設、保守時にも部品等の交換もなく低コストで対応できると共に、さらに前記ケーブルスペーサを該ケーブルスペーサより硬度の高い合成樹脂から構成されたシールベースに嵌着したことにより端面シール部材のケースでの姿勢も安定して取扱い良好で、組立作業の容易性に役立ち、安全性と水密・気密性をも高めてケーブルの配線管理での信頼性を大幅に向上できる。
【図面の簡単な説明】
【図１】本発明の実施例の一使用展開状態を示す一部分離斜視図である。
【図２】図１の例で使用される端面板で、（ａ）は一部を分離した展開状態の正面図、（ｂ）はその組立状態の正面図、（ｃ）はその平面図を示す。
【図３】図１の例で用いられるシールベースの一部を示し、（ａ）は側面図、（ｂ）はその正面図図、（ｃ）は背面図、（ｄ）は中央縦断面図、（ｅ）は平面図である。
【図４】図１の例で使用されるケーブルスペーサを示し、（ａ）は展開平面図、（ｂ）はその一部の斜視図である。
【図５】図１の例で使用されるシールベースのヒンジ部を示し、（ａ）は平面図、（ｂ）はその分離状態の正面図、（ｃ）はその平面図である。
【図６】図１の例で用いられる一使用展開状態を示す側面図である。
【図７】本発明で用いられる端面板の他の実施例を示し、（ａ）は一部を分離した展開状態の正面図、（ｂ）はその組立状態の正面図を示す。
【図８】図７の例で用いられるシールベースのヒンジ部の分離状態を示し、（ａ）は正面図、（ｂ）はその平面図、（ｃ）は組立前の側面図、（ｄ）はＢ−Ｂ線における縦断面図である。
【図９】図７の例のシールベースのヒンジ部における組立作動状態を示し、（ａ）はその組立前の縦断面図、（ｂ）は組み込み回動時の縦断面図、（ｃ）は組み込み終了時の縦断面図である。
【図１０】さらに、本発明の端面板の他の実施例を示し、（ａ）はその組立正面図、（ｂ）は展開状態の正面図である。
【図１１】図１０の例の端面板を示し、（ａ）はその拡大平面図、（ｂ）はＣ−Ｃ線に於ける側面図である。
【図１２】本発明で用いられるシールベースのヒンジ部の他の例を示し、（ａ）は組立状態の平面図、（ｂ）は分離状態の側面図、（ｃ）はその正面図、（ｄ）は一部の拡大側面図、（ｅ）は一部の拡大平面図である。
【図１３】本発明で用いられるケーブルスペーサの他の例を示し、（ａ）は一部の表面図、（ｂ）はその側面図、（ｃ）はその内面図、（ｄ）は正面図、（ｅ）は背面図である。
【図１４】図１３における各断面図で、（ａ）はＤ−Ｄ線における縦断面図、（ｂ）はＥ−Ｅ線における縦断面図、（ｃ）はＦ−Ｆ線における拡大切断正面図、（ｄ）はＧ−Ｇ線における拡大切断正面図、一部の拡大側面図である。
【符号の説明】
１，２  筒状ケース
３      端面板
４      ケーブル把持金具
５      テンションメンバ把持金具
６      ロック係止具
７      トレイ
８      連結金具
３０    ケーブルスペーサ
３０１    板状片
３１    ケーブル挿通路
３２    シールリブ
３２１    切れ目
３２２    凹面部
３２３    傾斜面
３３    凹溝
３４    シールベース
３４１    連結リブ
３５    ヒンジ
３６    係止爪
３７    受け部
３８    支持線挿通路
３９    スリット
４０，４２，４５    支軸
４１    Ｕ溝
４３    嵌合孔
４４    連結片
４６    連結桿
４６１    切れ目
４７    受け孔
４８    係止リブ
４９    係止溝
Ｃ      ケーブル
Ｃ１      支持線
【図１】
0004044668.tif 000002
【図２】
0004044668.tif 000003
【図３】
0004044668.tif 000004
【図４】
0004044668.tif 000005
【図５】
0004044668.tif 000006
【図６】
0004044668.tif 000007
【図７】
0004044668.tif 000008
【図８】
0004044668.tif 000009
【図９】
0004044668.tif 000010
【図１０】
0004044668.tif 000011
【図１１】
0004044668.tif 000012
【図１２】
0004044668.tif 000013
【図１３】
0004044668.tif 000014
【図１４】
0004044668.tif 000015